(57)【特許請求の範囲】
【請求項１】
廃材ドライヤの排気煙道の下流に廃材ドライヤから導出される排ガス中の悪臭分を高温雰囲気に接触させて燃焼分解させる脱臭炉を配設し、該脱臭炉の排気煙道を途中で分岐させ、その一方を煙突に接続する一方、他方を前記脱臭炉から導出される高温ガスにて砂を加熱させる砂ドライヤに接続するとともに、各分岐煙道には流路開閉用のダンパーを開閉自在に配設し、各ダンパーの開閉動作を連動制御するダンパー開閉制御器を備えたことを特徴とするアスファルト混合物製造装置。
【請求項２】
前記砂ドライヤに砂を供給する骨材供給コンベヤに骨材検出センサを備え、該骨材検出センサによる砂の検出・非検出に応じ、前記ダンパー開閉制御器にて各分岐煙道の流路開閉用のダンパーを開閉制御するようにしたことを特徴とする請求項１に記載のアスファルト混合物製造装置。
【請求項３】
前記砂ドライヤの排気煙道を集塵機に接続するとともに、前記排気煙道の集塵機入口側には排ガス温度検出用の温度センサを備え、該温度センサにて検出される排ガス温度に応じ、前記ダンパー開閉制御器にて各分岐煙道の流路開閉用のダンパーを開閉制御するようにしたことを特徴とする請求項１または２に記載のアスファルト混合物製造装置。
【請求項４】
廃材ドライヤの排気煙道の下流に廃材ドライヤから導出される排ガス中の悪臭分を高温雰囲気に接触させて燃焼分解させる脱臭炉を配設し、該脱臭炉の排気煙道を途中で分岐させ、その一方を煙突に接続する一方、他方を前記脱臭炉から導出される高温ガスにて砂を加熱させる砂ドライヤに接続し、該砂ドライヤの運転時には脱臭炉から導出される高温ガスを砂ドライヤ側に導入させて砂を加熱する一方、砂ドライヤの非運転時には脱臭炉から導出される高温ガスを煙突より放出させるようにしたことを特徴とするアスファルト混合物製造装置の運転方法。
【発明の詳細な説明】
【技術分野】
【０００１】
本発明は、道路舗装材であるアスファルト混合物を製造する装置およびその運転方法に関する。
【背景技術】
【０００２】
アスファルト混合物製造工場には、新規な骨材（以下「新材」という）を加熱する新材加熱用のドライヤ（以下「新材ドライヤ」という）と、道路工事などによって掘り起こされるアスファルト舗装廃材（以下「廃材」という）を加熱する廃材加熱用のドライヤ（以下「廃材ドライヤ」という）の両方を有するアスファルト混合物製造装置を設置しているところが多々ある。
【０００３】
前記廃材ドライヤにて廃材を加熱すると排ガス中に悪臭成分が含まれ、この悪臭分を燃焼分解するために脱臭炉が設置されることがある。前記脱臭炉では炉内を高温雰囲気に保ちつつ、この炉内に廃材ドライヤからの排ガスを導入させて高温雰囲気に晒すことにより、排ガス中に含まれる悪臭分を燃焼分解して浄化処理可能としている。このとき、脱臭炉から導出される排ガスは未だ高温であるので、この排ガス保有熱を回収するために、例えば、脱臭炉の排気煙道に熱交換器を取り付け、該熱交換器にて回収した熱で加熱した外気を廃材ドライヤのバーナの燃焼用空気として供給して熱の有効利用を図るようにしたものがある。
【０００４】
また、特許文献１（特開２００４−３６３３０号）には、上記熱交換器に代えて、脱臭炉の排気煙道下流側に砂加熱乾燥用の砂ドライヤを配設し、該砂ドライヤに前記脱臭炉からの高温ガスを直接導入させることにより、含水比の高い砂を予め加熱乾燥するようにして排ガス保有熱の有効利用を図るようにしたものが開示されている。
【先行技術文献】
【特許文献】
【０００５】
【特許文献１】特開２００４−３６３３０号公報
【発明の概要】
【発明が解決しようとする課題】
【０００６】
しかしながら、上記特許文献１の装置においては、砂ドライヤを運転するときには、脱臭炉から導出される高温ガスは砂ドライヤ通過時に温度低下し、その下流のバグフィルタの集塵機で排ガスを支障なく清浄化処理して放出することができるが、砂ドライヤを運転しないときは、脱臭炉から導出される５００℃もの高温ガスがそのままバグフィルタの集塵機に導入されることになるため支障が生じるものであるとともに、運転を行わない砂ドライヤに対して高温ガスを導入させること自体にも問題があると考えられる。
【０００７】
本発明は、上記の点に鑑み、運転状況に応じて脱臭炉から導出される高温ガスの保有熱を有効かつ好適に利用可能としたアスファルト混合物製造装置およびその運転方法を提供することを課題とする。
【課題を解決するための手段】
【０００８】
本発明は、上記の課題を解決するために、請求項１記載のアスファルト混合物製造装置は、廃材ドライヤの排気煙道の下流に廃材ドライヤから導出される排ガス中の悪臭分を高温雰囲気に接触させて燃焼分解させる脱臭炉を配設し、該脱臭炉の排気煙道を途中で分岐させ、その一方を煙突に接続する一方、他方を前記脱臭炉から導出される高温ガスにて砂を加熱させる砂ドライヤに接続するとともに、各分岐煙道には流路開閉用のダンパーを開閉自在に配設し、各ダンパーの開閉動作を連動制御するダンパー開閉制御器を備えたことを特徴としている。
【０００９】
また、請求項２記載のアスファルト混合物製造装置は、前記砂ドライヤに砂を供給する骨材供給コンベヤに骨材検出センサを備え、該骨材検出センサによる砂の検出・非検出に応じ、前記ダンパー開閉制御器にて各分岐煙道の流路開閉用のダンパーを開閉制御するようにしたことを特徴としている。
【００１０】
また、請求項３記載のアスファルト混合物製造装置は、前記砂ドライヤの排気煙道を集塵機に接続するとともに、前記排気煙道の集塵機入口側には排ガス温度検出用の温度センサを備え、該温度センサにて検出される排ガス温度に応じ、前記ダンパー開閉制御器にて各分岐煙道の流路開閉用のダンパーを開閉制御するようにしたことを特徴としている。
【００１１】
さらに、請求項４記載のアスファルト混合物製造装置の運転方法は、廃材ドライヤの排気煙道の下流に廃材ドライヤから導出される排ガス中の悪臭分を高温雰囲気に接触させて燃焼分解させる脱臭炉を配設し、該脱臭炉の排気煙道を途中で分岐させ、その一方を煙突に接続する一方、他方を前記脱臭炉から導出される高温ガスにて砂を加熱させる砂ドライヤに接続し、該砂ドライヤの運転時には脱臭炉から導出される高温ガスを砂ドライヤ側に導入させて砂を加熱する一方、砂ドライヤの非運転時には脱臭炉から導出される高温ガスを煙突より放出させるようにしたことを特徴としている。
【発明の効果】
【００１２】
本発明に係る請求項１記載のアスファルト混合物製造装置によれば、廃材ドライヤの排気煙道の下流に廃材ドライヤから導出される排ガス中の悪臭分を高温雰囲気に接触させて燃焼分解させる脱臭炉を配設し、該脱臭炉の排気煙道を途中で分岐させ、その一方を煙突に接続する一方、他方を前記脱臭炉から導出される高温ガスにて砂を加熱させる砂ドライヤに接続するとともに、各分岐煙道には流路開閉用のダンパーを開閉自在に配設し、各ダンパーの開閉動作を連動制御するダンパー開閉制御器を備えたことによって、砂ドライヤの運転・非運転に応じて各分岐煙道のダンパーを自動または手動にて開閉制御して、砂ドライヤ運転時には脱臭炉から導出される高温ガスを砂ドライヤに導入させて砂の加熱に有効利用できる一方、砂ドライヤ非運転時には前記高温ガスを煙突から放出させることで下流の装置に支障を来すこともない。
【００１３】
また、請求項２記載のアスファルト混合物製造装置によれば、前記砂ドライヤに砂を供給する骨材供給コンベヤに骨材検出センサを備え、該骨材検出センサによる砂の検出・非検出に応じ、前記ダンパー開閉制御器にて各分岐煙道の流路開閉用のダンパーを開閉制御することによって、砂の供給または供給切れが生じたときにダンパーを自動にて開閉制御できて便利であり、砂ドライヤの下流の装置に支障を来すこともない。
【００１４】
また、請求項３記載のアスファルト混合物製造装置によれば、前記砂ドライヤの排気煙道を集塵機に接続するとともに、前記排気煙道の集塵機入口側には排ガス温度検出用の温度センサを備え、該温度センサにて検出される排ガス温度に応じ、前記ダンパー開閉制御器にて各分岐煙道の流路開閉用のダンパーを開閉制御することによって、装置に支障を与える高温のガスを集塵機に導入させることを阻止でき、集塵機を保護できる。
【００１５】
また、請求項４記載のアスファルト混合物製造装置の運転方法によれば、廃材ドライヤの排気煙道の下流に廃材ドライヤから導出される排ガス中の悪臭分を高温雰囲気に接触させて燃焼分解させる脱臭炉を配設し、該脱臭炉の排気煙道を途中で分岐させ、その一方を煙突に接続する一方、他方を前記脱臭炉から導出される高温ガスにて砂を加熱させる砂ドライヤに接続し、該砂ドライヤの運転時には脱臭炉から導出される高温ガスを砂ドライヤ側に導入させて砂を加熱する一方、砂ドライヤの非運転時には脱臭炉から導出される高温ガスを煙突より放出させるようにしたことによって、砂ドライヤの運転・非運転に応じて脱臭炉から導出される高温ガスの保有熱を有効かつ好適に利用できる。
【図面の簡単な説明】
【００１６】
【図１】本発明の一実施例を示す概略図
【図２】同上の他の実施例を示す概略図
【発明を実施するための形態】
【００１７】
本発明のアスファルト混合物製造装置およびその運転方法は、廃材ドライヤの排気煙道の下流に廃材ドライヤから導出される排ガス中の悪臭分を高温雰囲気に接触させて燃焼分解させる脱臭炉を配設し、該脱臭炉の排気煙道を途中で分岐させ、その一方を煙突に接続する一方、他方を前記脱臭炉から導出される高温ガスにて砂を加熱させる砂ドライヤに接続するとともに、各分岐煙道には流路開閉用のダンパーを開閉自在に配設し、各ダンパーの開閉動作を連動制御するダンパー開閉制御器を備えたことを特徴としている。
【００１８】
また、前記砂ドライヤに砂を供給する骨材供給コンベヤに骨材検出センサを備え、該骨材検出センサによる砂の検出・非検出に応じ、前記ダンパー開閉制御器にて各分岐煙道の流路開閉用のダンパーを開閉制御するようにしたことを特徴としている。また、前記砂ドライヤの排気煙道を集塵機に接続するとともに、前記排気煙道の集塵機入口側には排ガス温度検出用の温度センサを備え、該温度センサにて検出される排ガス温度に応じ、前記ダンパー開閉制御器にて各分岐煙道の流路開閉用のダンパーを開閉制御するようにしたことを特徴としている。
【実施例１】
【００１９】
道路工事などで掘り起こされる廃材は、図１に示されるような廃材ドライヤ１に投入して加熱して再利用される。この廃材ドライヤ１は内周部に多数の掻き上げ羽根（図示せず）を周設した円筒状のドラム２を機台３上に回転自在に傾斜支持し、駆動装置（図示せず）により所定の速度で回転させ、ドラム２の一端部のホットホッパ４側に備えたバーナ５にて燃焼室６内に火炎を形成しながらドラム２に熱風を送り込む一方、他端部の慣性集塵機構を具備した貯蔵ビン７の排気煙道８に配設した排風機９によって排ガスを吸引し、ドラム２内を通過する高温ガス流を維持している。１０は前記貯蔵ビン７と燃焼室６とを連結して成るリターン煙道であって、その途中には排風機１１を配設しており、該リターン煙道１０を介して温度の低下した排ガスの一部をリターンガスとして燃焼室６内に導入させ、高温の燃焼ガスと混合させることによって燃焼ガス温度を廃材加熱に適した温度に調整する構成としている。
【００２０】
そして、廃材供給用のコンベヤ１２によって廃材をドラム２内に送り込み、掻き上げ羽根で廃材を掻き上げながらドラム２内を転動流下させる間に前記高温ガス流と接触させ、廃材を所望温度まで昇温させて貯蔵ビン７へと排出し、貯蔵ビン７に貯蔵された加熱廃材はプラント本体のミキサ（図示せず）に所定量ずつ供給され、新材に所定割合で混入して所望配合のアスファルト混合物を製造している。
【００２１】
また、廃材ドライヤ１の排気煙道８の下流には、熱交換器１３を介在させて脱臭炉１４を配設し、バーナ１５より導入される高温の熱風により炉内を約７５０℃以上の高温雰囲気に維持し、導入される廃材ドライヤ１の排ガス中に含まれる悪臭分を燃焼分解するようにしている。
【００２２】
前記脱臭炉１４の熱交換器１３の下流の排気煙道１６はその途中で分岐させており、図１のように、その一方の分岐煙道１７を砂ドライヤ１８に、他方の分岐煙道１９を煙突２０にそれぞれ接続しているとともに、これら各分岐煙道１７、１９にはそれぞれ流路開閉用のダンパー２１、２２を開閉自在に配設し、かつ各ダンパー２１、２２の開閉動作を連動制御するダンパー開閉制御器２３を備えており、砂ドライヤ１８の運転、非運転に応じて前記脱臭炉１４から導出される高温ガスを砂ドライヤ１８側、または煙突２０側に適宜に導出できるようにしている。
【００２３】
砂ドライヤ１８は、アスファルト混合物の素材である骨材中の小粒径の砂分を専ら加熱乾燥するものであって、廃材ドライヤ１とほぼ同様のドラム構造としており、内周部に多数の掻き上げ羽根（図示せず）を周設した円筒状のドラム２４を機台２５上に回転自在に傾斜支持し、駆動装置（図示せず）により所定の速度で回転させており、ドラム２４の一端部のホットホッパ２６側の骨材供給コンベヤ２７から砂を供給し、ドラム２４内を転動流下させる間に脱臭炉１４からの高温ガスと接触させて所望温度まで加熱し、コールドホッパ２８側の排出口から排出している。この排出された加熱砂は、適宜の搬送手段によってプラント本体側部の砂貯蔵ビンに一旦貯蔵されたり、またアスファルトプラントの新材ドライヤ２９に直接供給されたりして、アスファルト混合物の素材として使用される。
【００２４】
新材ドライヤ２９も前記廃材ドライヤ１とほぼ同様な構造で、内周部に多数の掻き上げ羽根（図示せず）を周設した円筒状のドラム３０を機台３１上に回転自在に傾斜支持し、駆動装置（図示せず）により所定の速度で回転させており、ドラム３０の一端部のホットホッパ３２側のバーナ３３より熱風を供給する一方、コールドホッパ３４側の骨材供給コンベヤ３５から新材を供給して所望温度まで加熱している。この新材ドライヤ２９の排気煙道３６は集塵機３７に連結され、該集塵機３７を通過した排ガスは排風機３８を介して煙突２０より放出される。
【００２５】
また、前記砂ドライヤ１８の排気煙道３９は新材ドライヤ３０の排気煙道３６に合流させており、砂ドライヤ１８から導出される排ガスも前記同様に集塵機３７に導入されて排ガス中のダスト分が除去され、煙突２０より放出されるようにしている。
【００２６】
一方、前記砂ドライヤ１８に砂を供給する骨材供給コンベヤ２７には骨材検出センサ４０を備えており、コンベヤ上の砂の検出・非検出に応じて前記ダンパー開閉制御器２３にて各分岐煙道１７、１９の流路開閉用のダンパー２１、２２を開閉制御するようにしており、コンベヤ上の砂検出時にはダンパー２１を開に、ダンパー２２を閉とし、高温ガスを砂ドライヤ１８側に導入するようにしている。更に、砂ドライヤ１８の排気煙道３９下流の集塵機３７入口側には排ガス温度検出用の温度センサ４１を備えており、該温度センサ４１にて検出される排ガス温度に応じて、前記同様にダンパー開閉制御器２３にて各分岐煙道１７、１９の流路開閉用のダンパー２１、２２を開閉制御するようにしている。そして、下流のバグフィルタ等の集塵機３７に支障を来すような高温ガスを検出すると、流路開閉用のダンパー２１、２２のを開閉度量を調整し、砂ドライヤ１８に導入される高温ガス量を調整したり、また遮断したりして集塵機３７を保護するようにしている。
【００２７】
しかして、砂ドライヤ１８にて砂の予備加熱乾燥を行うときには、先ず、砂ドライヤ１８側への分岐煙道１７の流路開閉用ダンパー２１を閉鎖する一方、煙突２０側への分岐煙道１９のダンパー２２を開放しておき、高温ガスが煙突２０側へ流れるようにしておく。そして脱臭炉１４の運転を開始した後に、廃材ドライヤ１に廃材を供給すると、廃材の加熱処理に伴って廃材ドライヤ１から導出される悪臭分を含んだ排ガスが排気煙道８を介して脱臭炉１４へと導入される。脱臭炉１４ではバーナ１５の熱風により炉内を約７５０℃以上の高温雰囲気に維持しており、導入した廃材ドライヤ１の排ガス中に含まれる悪臭分を燃焼分解して清浄化する。そして脱臭炉１４から導出される高温ガスは、下流の熱交換器１３を通過して約５００℃程度に温度低下し、排気煙道１６を介して煙突２０側へと流れる。前記脱臭炉１４から高温ガスが導出されるようになると、砂ドライヤ１８に砂の供給を適宜開始する。骨材供給コンベヤ２７に備えた骨材検出センサ４０が供給砂を検出すると、ダンパー開閉制御器２３の指令によって分岐煙道１７の流路開閉用ダンパー２１を開放すると同時に、分岐煙道１９のダンパー２２を閉鎖し、高温ガスを砂ドライヤ１８へと導く。そして、砂ドライヤ１８では、導入される約５００℃程度の高温ガスを砂と接触させて加熱乾燥させ、乾燥処理した砂はアスファルトプラントの砂貯蔵ビンに一旦貯蔵されたり、また新材ドライヤ２９に直接供給されてアスファルト混合物の素材として使用される。
【００２８】
なお、砂ドライヤ１８の骨材供給コンベヤ２７に備えた骨材検出センサ４０にてコンベヤ上に供給砂を検出しなくなると、砂ドライヤ１８への砂の供給切れが発生したものと判断し、直ちにダンパー開閉制御器２３にて分岐煙道１７の流路開閉用ダンパー２１を閉鎖する一方、分岐煙道１９のダンパー２２を開放させ、高温ガスを煙突２０側へと導く。また、砂ドライヤ１８下流の排気煙道３６に備えた温度センサ４１にて検出される排ガス温度が予め設定した温度以上となると、ダンパー開閉制御器２３にて前記ダンパー２１、２２の開閉度を調整するなどして必要量の高温ガスを砂ドライヤ１８に導入し、排ガス温度を適正に維持して集塵機を保護する。
【００２９】
このように、廃材ドライヤ１の排ガス中に含まれる悪臭分を燃焼分解する脱臭炉１４の排気煙道１６を途中で分岐させ、その一方の分岐煙道１７を砂ドライヤ１８に接続する一方、他方の分岐煙道１９を煙突２０に接続するとともに、これら各分岐煙道１７、１９には流路開閉用のダンパー２１、２２を開閉自在に配設し、かつ各ダンパー２１、２２の開閉動作を連動制御するダンパー開閉制御器２３を備えたので、砂ドライヤ１８の運転時には、各ダンパー２１、２２を自動または手動にて開閉制御して砂ドライヤ１８側への流路を開放させ、脱臭炉１４から導出される高温ガスを砂ドライヤ１８に導入させることにより、脱臭炉１４から導出される高温ガスの保有熱を有効利用して高含水比の砂を予め加熱乾燥させておくことが可能となって効果的に省エネが図れる。
【００３０】
一方、砂ドライヤ１８の非運転時や、砂ドライヤ１８における砂の供給切れ等が発生したときには、前記同様に各ダンパー２１、２２を開閉制御して砂ドライヤ１８側への流路を閉鎖させるとともに、煙突２０側への流路を開放させ、脱臭炉１４から導出される高温ガスを、砂ドライヤ１８や集塵機３７等に導入させることなく煙突２０より適切に放出させることができる。
【実施例２】
【００３１】
図２は本発明の他の実施例を示すものであり、実施例１と同構造の部分については同じ番号を付して詳細な説明は省略する。本実施例においては、砂ドライヤ１８のドラム２４の外周部に同心円状に排ガス導入出筒部４２を設け、脱臭炉１４から導出される高温ガスを分岐煙道１７を介して排ガス導入出筒部４２の前部側から導入する一方、排ガス導入出筒部４２の後部側から導出させて排気煙道４３を介して煙突２０側に放出するようにしており、ドラム２４内部を転動流下する砂を脱臭炉１４からの高温ガスにて間接的に加熱乾燥するようにしている。
【００３２】
このような構成を採用することにより、砂ドライヤ１８に供給する砂を脱臭炉１４から導出される高温ガスと接触させずに間接的に加熱乾燥することが可能となり、例えば脱臭炉１４から導出される高温ガス中にダイオキシン等の有害物質が混入している場合でも砂への汚染を防げ、高温ガスの保有熱を適切に有効利用することができる。
【００３３】
なお、上記各実施例では、流路開閉用のダンパー２１、２２を砂ドライヤ１８側への分岐煙道１７と煙突２０側への分岐煙道１９の両方に配設するようにしたが、分岐煙道１７、１９の分岐部分に切換自在に設置したり、また砂と排ガスとを同方向に流れる並流式のドライヤについて説明したが、反対向きに流れる向流式のものについても同様に適用することができるなど、上記した本発明の趣旨にもとづいて適宜の実施態様を採用することができる。
【符号の説明】
【００３４】
１…廃材ドライヤ    ８、１６、３６、３９…排気煙道    １４…脱臭炉
１７、１９…分岐煙道    １８…砂ドライヤ    ２０…煙突
２１、２２…ダンパー    ２３…ダンパー開閉制御器    ２７…骨材供給コンベヤ
３７…集塵機    ４０…骨材検出センサ    ４１…温度センサ
【図１】
0005498844.tif 000002
【図２】
0005498844.tif 000003